(57)【要約】【課題】外観性が良好で、内寸法の増大が望めるバッグを提供することを課題とする。【解決手段】図（ａ）に示すように、使用時はバッグの側面１１ａ、１３ａから出没突起４０をＨだけ突出させる。出没突起４０がバッグの脚となる。非使用時は図（ｂ）に示すように、出没突起４０を９０°回し、図（ｃ）に示すように、バッグに埋没させる。側面１１ａ、１３ａと出没突起４０の外面がほぼ同一面となり、外観が良好になる。外寸法が定めされているときに、内寸法を外寸法に近づけることができ、内寸法の増大が望める。【選択図】図４
2019180527.tif 000002
【特許請求の範囲】
【請求項１】
使用時はバッグの側面から突出させ、非使用時は前記バッグに埋没させる、出没突起を備えているバッグであって、
このバッグは、脚機構を有し、この脚機構に前記出没突起を有し、この出没突起に床や路面に当てる座を有していることを特徴とするバッグ。
【請求項２】
使用時はバッグの側面から突出させ、非使用時は前記バッグに埋没させる、出没突起を備えているバッグであって、
このバッグは、ベルト用突起機構を有し、このベルト用突起機構に前記出没突起を有し、この出没突起に肩掛けベルトの端部を掛けるようにしたことを特徴とするバッグ。
【請求項３】
使用時はバッグの側面から突出させ、非使用時は前記バッグに埋没させる、出没突起を備えているバッグであって、
前記出没突起は、小物掛けに供するものであることを特徴とするバッグ。
【発明の詳細な説明】
【技術分野】
【０００１】
本発明は、外寸法が定められているときに、内寸法を大きくすることができるバッグに関する。このバッグは、ショルダーバッグ、アタッシュケース、スーツケースなど書類や衣類などを収納し運搬に供することができる容器の総称である。
【背景技術】
【０００２】
宿泊を伴う旅行には、大型のバッグとしてスーツケースが、利用される。
スーツケースには、各種の形態のものが知られている（例えば、特許文献１（図７、図８）参照）。
【０００３】
特許文献１を次図に基づいて説明する。
図１３は従来のスーツケースの構造を説明する図である。
図１３（ａ）に示すように、スーツケース１００は、引き出し可能な伸縮ハンドル１０１を備えるケース本体１０２と、このケース本体１０２に蝶番１１０を介して開閉自在に連結される蓋体１０３とを備えている。
【０００４】
図１３（ｂ）は、ケース本体１０２をスーツケース１００内から見た図面であり、ケース本体１０２から固定脚１１６が、ｈだけ突出している。
ところで、航空機の機内持ち込みには、例えば、１０ｋｇ以内で、且つサイズが５５ｃｍ×４０ｃｍ×２５ｃｍを超えないことなどの制限がある。
図１３（ａ）、（ｂ）に示す寸法Ａ、Ｂ、Ｃがサイズに相当する。寸法Ａが４０ｃｍに制限されている場合、ケース本体１０２の内寸法ａは、固定脚１１６の高さｈが大きいほど、小さくなる。内寸法ａが小さくなると、スーツケース１００の容積が小さくなる。
【０００５】
衣類等を詰めるスーツケース１００の用途を考慮すると、寸法Ａが定められている場合に、内寸法ａを寸法Ａに近づけることで、スーツケース１００の容積を拡大することができることが望まれる。
【０００６】
加えて、図１３（ａ）に示すように、４個の固定脚１１６が目立つ。目立つため、外観性が低下する。
ファッション性を問われるスーツケース１００のおいて、外観性の向上が求められる。
すなわち、スーツケース１００において、外観性の向上と、内寸法の増大が求められる。
【０００７】
また、小型のバッグとしてショルダーバッグが、実用に供されている。
ショルダーバッグの形態は、各種のものが知られている（例えば、特許文献２（図２）参照）。
【０００８】
特許文献２を次図に基づいて説明する。
図１４は従来のショルダーバッグの斜視図であり、ショルダーバッグ２００は、バッグ本体２０１と、このバッグ本体２０１の開口を塞ぐ蓋体２０２とからなる。
そして、バッグ本体２０１の上面に取っ手２０３が設けられ、バッグ本体２０１の両側面２０５に各々三角形リング状のベルト止め金具２０６、２０６が設けられている。
【０００９】
ベルト止め金具２０６、２０６に肩掛けベルトの一端及び他端を掛けることができる。肩掛けベルトが外されているときには、ベルト止め金具２０６が側面２０５から突出しており、外観性が低下する。
また、ショルダーバッグ２００の外寸法Ａ’は、ベルト止め金具２０６、２０６を含んで計測される。外寸法Ａ’が定められている場合は、ベルト止め金具２０６、２０６の突出量が大きい程、ショルダーバッグ２００の内寸法ａ’は小さくなる。
ショルダーバッグ２００においても外観性の向上と、内寸法の増大が求められる。
【先行技術文献】
【特許文献】
【００１０】
【特許文献１】実用新案登録第３１８７２２１号公報
【特許文献２】実用新案登録第３１０５９１５号公報
【発明の概要】
【発明が解決しようとする課題】
【００１１】
本発明は、外観性が良好で、内寸法の増大が望めるバッグを提供することを課題とする。
【課題を解決するための手段】
【００１２】
請求項１に係る発明は、使用時はバッグの側面から突出させ、非使用時は前記バッグに埋没させる、出没突起を備えているバッグであって、
このバッグは、脚機構を有し、この脚機構に前記出没突起を有し、この出没突起に床や路面に当てる座を有していることを特徴とする。
【００１３】
請求項２に係る発明は、使用時はバッグの側面から突出させ、非使用時は前記バッグに埋没させる、出没突起を備えているバッグであって、
このバッグは、ベルト用突起機構を有し、このベルト用突起機構に前記出没突起を有し、この出没突起に肩掛けベルトの端部を掛けるようにしたことを特徴とする。
【００１４】
請求項３に係る発明は、使用時はバッグの側面から突出させ、非使用時は前記バッグに埋没させる、出没突起を備えているバッグであって、
前記出没突起は、小物掛けに供するものであることを特徴とする。
【発明の効果】
【００１５】
請求項１〜３に係る発明では、バッグは、使用時にバッグの側面から突出させ、非使用時にバッグに埋没させる、出没突起を備えている。
非使用時に出没突起をバッグに埋没させると、外寸法が小さくなり、この外寸法にバッグの内寸法を近づけることができる。外寸法が定められているときには、内寸法を増大することができる。また、出没突起をバッグに埋没させると、出没突起が目立たなくなり、バッグの外観がよくなる。
よって、請求項１〜３によれば、外観性が良好で、内寸法の増大が望めるバッグが提供される。
【００１６】
請求項１に係る発明では、バッグは、脚機構を有し、この脚機構に出没突起を有し、この出没突起に床や路面に当てる座を有している。
大型のバッグでは、床置きに備えた固定脚が不可欠である。この固定脚を脚機構に変更し、この脚機構に出没突起を備えた。
大型のバッグであるスーツケース等において、外観性を高め、内寸法の増大が可能となる。
【００１７】
請求項２に係る発明では、バッグは、ベルト用突起機構を有し、このベルト用突起機構に出没突起を有し、この出没突起に肩掛けベルトの端部を掛けることができる。
肩掛けベルトで吊る形式のアタッシュケース等において、外観性を高め、内寸法の増大が可能となる。
【００１８】
請求項３に係る発明は、出没突起は、小物掛けに供するものである。スーツケース等のバッグから突出する出没突起に小物を掛けることができるため、便利である。
【図面の簡単な説明】
【００１９】
【図１】本発明に係る大型のバッグとしてのスーツケースの斜視図である。
【図２】脚機構の分解斜視図である。
【図３】脚機構の断面図である。
【図４】突出している出没突起を埋没させるまでの過程を説明する図である。
【図５】出没突起を埋没させたときのスーツケースの斜視図である。
【図６】本発明に係る別のスーツケースの斜視図である。
【図７】別の脚機構の分解斜視図である。
【図８】別の脚機構の断面図である。
【図９】別の脚機構の作用図である。
【図１０】突出している別の出没突起を埋没させるまでの過程を説明する図である。
【図１１】本発明に係る小型のバッグの斜視図である。
【図１２】ベルト用突起機構の断面図及び作用図である。
【図１３】従来のスーツケースの構造を説明する図である。
【図１４】従来のショルダーバッグの斜視図である。
【発明を実施するための形態】
【００２０】
本発明の実施の形態を添付図に基づいて以下に説明する。なお、図面は符号の向きに見るものとする。
【実施例】
【００２１】
図１に示すように、大型のバッグとしてのスーツケース１０は、ケース本体１１と、このケース本体１１にヒンジ１２で繋がれた蓋体１３と、底に設けたキャスター１４と、ケース本体１１に設けた伸縮ハンドル１５及び非伸縮形のハンドル１６とを備えている。
そして、ケース本体１１の側面１１ａに上下２個の脚機構２１、２１を備え、蓋体１３の側面１３ａに上下２個の脚機構２１、２１を備えている。
【００２２】
脚機構２１の構造の一例を、図２に基づいて説明する。
図２に示すように、脚機構２１は、例えば、側面１１ａ、１３ａに設けた凹部２２に嵌められるフランジ２３を有する脚ベース２４と、この脚ベース２４に回転可能に取付けられる出没突起４０とからなる。
【００２３】
脚ベース２４のフランジ２３には、矩形穴２５が設けられ、この矩形穴２５を囲う長円凹部２６が設けられ、この長円凹部２６の縁に円弧凹部２７、２７が一体形成されている。
【００２４】
出没突起４０は、長円凹部２６に嵌る長円座４１と、この長円座４１から延びると共に矩形穴２５に挿入される矩形柱部４２と、この矩形柱部４２の底に設けた円弧突起４３、４３とからなる。矩形柱部４２は、中空柱と中実柱の何れであってもよい。
【００２５】
図３に示すように、ビス２８により、フランジ２３が側面１１ａ、１３ａに固定される。
脚ベース２４のフランジ２３から角筒部３１が延びており、この角筒部３１の底３１ａから小径の円筒部３２が延びている
角筒部３１に矩形柱部４２が嵌っているが、矩形柱部４２の底に設けた円弧突起４３は、角筒部３１の底３１ａに接触してはいない。
【００２６】
出没突起４０の矩形柱部４２の底から引っ張りばね４４が延びており、この引っ張りばね４４の自由端がピン４５により、小径の円筒部３２の底に掛かっている。
脚ベース２４に対して、出没突起４０を想像線で示すように、引き出すことができる。
【００２７】
以上の構成からなる脚機構２１の作用を、図４に基づいて説明する。
図４（ａ）では、脚ベース２４に対して、出没突起４０が突出している。すなわち、図１に示す脚機構２１の形態が、図４（ａ）で示される。
長円座４１が、側面１１ａ、１３ａからＨだけ出ている。図１に示すスーツケース１０を９０°回転させるようにして倒すと、床（又は路面）１５に長円座４１が当たる。Ｈだけ床１５から側面１１ａ、１３ａが離れるため、床１５上の汚れや溜まり水で側面１１ａ、１３ａが汚される心配はない。
【００２８】
図４（ａ）に示す出没突起４０を人力で９０°回す。すると、図４（ｂ）のようになる。図４（ｂ）で力を弱めると、引っ張りばね４４の引き作用により、矩形柱部４２が脚ベース２４へ進入する。
結果、図４（ｃ）に示すように、出没突起４０が脚ベース２４に収納され、長円座４１の外面と、フランジ２３の外面と、側面１１ａ、１３ａとが、ほぼ同一面となる。
【００２９】
図５に示すスーツケース１０では、脚機構２１は、図４（ｃ）に示す形態となっている。
図５では出没突起（長円座４１）がスーツケース１０の側面１１ａ、１３ａから突出していないため、外観性が良くなると共に外寸法Ａが定められているときに、内寸法ａを十分に大きくすることができる。その他の構成要素は、図１と同じであるため図１の符号を流用して、詳細な説明は省略する。
【００３０】
図５を図１に戻す手順を次に説明する。
図４（ｃ）において、スーツケース１０の利用者は、円弧凹部２７、２７に指を差し入れることで、長円座４１を摘む。図４（ｂ）に示すように、摘んだ出没突起４０を引き出す。
出没突起４０を９０°回すことで、脚ベース２４側の円弧凹部２７に出没突起４０側の円弧突起４３の位相が合致する。
力を弱めると、引っ張りばね４４の引っ張り作用で、円弧凹部２７に円弧突起４３が嵌る。
【００３１】
嵌った形態が図４（ａ）となる。以上により図１に戻る。図４（ａ）では、円弧凹部２７に円弧突起４３が嵌っているため、外力を受けても長円座４１が回転する心配はない。
円弧突起４３と円弧凹部２７とからなる回転防止機構は、適宜変更して差し支えない。要は、長円座４１が簡単に回転しないような機構であればよい。
【００３２】
また、脚機構２１の構造は、図１〜図５に示す構造に限定されるものではない。別の好適例を以下に説明する。
図６に示すように、スーツケース１０に円形の脚機構２１Ｂを備えてもよい。その他の構成要素は図１と同様であるため、符号を流用して詳細な説明は省略する。
【００３３】
別の脚機構２１Ｂは、図７に示すように、脚ベース２４Ｂと出没突起４０Ｂとからなる。
脚ベース２４Ｂは、円形のフランジ２３と、このフランジ２３から延びる円筒部３４と、この円筒部３４に収納される圧縮ばね３５と、円筒部３４の先端を閉じるリッド３６とからなる。
円筒部３４にはカム溝３７が設けられている。
【００３４】
出没突起４０Ｂは、フランジ２３に設けた凹部に嵌る円板座４７と、この円板座４７から延びる円柱部４８と、この円柱部４８から延びる引っ張りばね４４とからなる。円柱部４８にはカム溝３７に嵌るカムピン４９が取付けられる。円柱部４８は、中空柱と中実柱の何れでもよい。
また、円板座４７には、指を掛けることができる半月切欠き５１、５１が設けられている。
【００３５】
なお、説明を簡単にするために、円筒部３４に１個のカム溝３７を設けたが、カム溝３７は２個又は３個設けてもよい。また、カムピン４９は小径にしたが、大径にして強度を高めてもよい。
例えば、カム溝３７が３個（互いに平行に配置した３条）の場合、カムピン４９は３本になり、カムピン４９の１本当たりの負荷が軽減されるため、耐久性が増す。
また、円筒部３４にカムピン４９を設け、円柱部４８にカム溝３７に設けてもよい。
【００３６】
図８に示すように、円筒部３４に円柱部４８が収納されるようにして、脚ベース２４Ｂに出没突起４０Ｂが収納されている。
カム溝３７は、直線溝３７ａと、この直線溝３７ａのリッド３６側端部にレ字をなすように設けられた奥側返り溝３７ｂと、直線溝３７ａのフランジ２３側端部にレ字をなすように設けられた手前側返り溝３７ｃとからなる。
【００３７】
図８では、カムピン４９は奥側返り溝３７ｂに嵌っており、圧縮ばね３５で円柱部４８がリッド３６から離れる方向へ押されるため、カムピン４９はポジションＰ１に留まる。留まるため、脚ベース２４Ｂから出没突起４０Ｂが出る心配はない。
【００３８】
図８で、出没突起４０Ｂを人為的にアンロック方向へ少し回すと、カムピン４９はポジションＰ１からポジションＰ２に移動する。ポジションＰ２を超えて出没突起４０Ｂが回る心配はない。圧縮ばね３５の押し作用により、出没突起４０Ｂは一部が突出する。
この出没突起４０Ｂを更に引き出す。すると、カムピン４９はポジションＰ３まで移動する。ポジションＰ３を超えて出没突起４０Ｂが引かれる心配はない。
ポジションＰ３では、引っ張りばね４４の引っ張り作用が顕著になる。
【００３９】
図９で、出没突起４０Ｂをロック側へ少し回す。カムピン４９はポジションＰ３からポジションＰ４へ移動する。ポジションＰ４を超えて出没突起４０Ｂが回る心配はない。
カムピン４９がポジションＰ４にあるときは、出没突起４０Ｂが引っ張りばね４４で引っ張られている。そのため、カムピン４９がポジションＰ４に留まり、外力で出没突起４０Ｂが回る心配はない。
【００４０】
突出している出没突起４０Ｂを埋没させる過程を、図１０に基づいて説明する。
図１０（ａ）に示す半月切欠き５１、５１に指を掛けて、出没突起４０Ｂをアンロック（UNLOCK）方向へ少し回す。このときに、カムピン４９がポジションＰ４からポジションＰ３へ移動する。
【００４１】
図１０（ｂ）に示す出没突起４０Ｂが脚ベース２４Ｂに引き込まれる。このときに、カムピン４９はポジションＰ３からポジションＰ２へ移動する。
図１０（ｃ）に示す出没突起４０Ｂを、ロック（LOCK）方向へ少し回す。このときに、カムピン４９がポジションＰ２からポジションＰ１へ移動する。結果、円板座４７の外面と、フランジ２３の外面と、側面１１ａ、１３ａとが、ほぼ同一面となり、外観性が良くなる。
【００４２】
図９に示すように、脚ベース２４Ｂ側の円筒部３４に、出没突起４０側の円柱部４８が一部掛かっている（ラップしている）ため、円柱部４８に物を吊すことができる。
すなわち、図６に示すように出没突起４０Ｂに小物５２を掛けることができる。円板座（図９、符号４７）が抜け止め作用を発揮するため、小物５２が落下する心配はない。
なお、小物５２は、ポシェット、買い物袋、小型バッグ、ハンガーなど種類は問わない。さらには、小物５２は、絵画や飾りでもよい。
【００４３】
本発明の突起２０は、脚機構２１、２１Ｂの他、肩掛けベルトを掛けるベルト用突起に適用することができる。その例を、図１１及び図１２に基づいて説明する。
小型のバッグとしてのアタッシュケース６０は、図１１に示すように、ケース本体６１と、このケース本体６１の開口を塞ぐ蓋６２とからなる。ケース本体６１は、上面に取っ手６３を備え、側面６１ａにベルト用突起機構６４を備えている。
【００４４】
図１２（ａ）に示すように、ベルト用突起機構６４は、側面６１ａに嵌められる有底筒体６５と、この有底筒体６５に収納される圧縮ばね６６と、この圧縮ばね６６を圧縮するようにして有底筒体６５に移動可能に嵌められる出没突起６７とからなる。
有底筒体６５には、直線溝６８ａと奥側返り溝６８ｂからなるカム溝６８が設けられている。
出没突起６７にはカム溝６８に嵌るカムピン６９が取付けられている。
【００４５】
図１２（ａ）では、カムピン６９が、カム溝６８のポジションＰ１にあり、出没突起６７の大部分が有底筒体６５に没している。図１１に示すように、出没突起６７は目立たず、アタッシュケース６０の外観は良好となる。出没突起６７が突出していないため、外寸法Ａが定められているときには、内寸法ａを十分に大きくすることができる。
【００４６】
図１２（ａ）での出没突起６７を少し回して、カムピン６９をポジションＰ１からポジションＰ２へ移動する。移動後は、圧縮ばね６６の押し作用で、出没突起６７が有底筒体６５から突出する。このときに、カムピン６９はポジションＰ２からポジションＰ３へ移動し、図１２（ｂ）となる。
図１２（ｂ）では、出没突起６７に、肩掛けベルトを掛けることができる。
【００４７】
なお、図１２（ｂ）で軸力を受けると出没突起６７は、簡単に有底筒体６５に没する。出没突起６７には、肩掛けベルトによる軸直角方向の力は加わるものの軸方向の力（軸力）が加わる心配はない。
その分、カム溝６８の形状が簡単になり、ベルト用突起機構６４の構造が簡単になる。
【００４８】
ただし、カム溝３７に手前側返り溝（図８、符号３７ｃ）を付加することは差し支えない。手前側返り溝があれば、肩掛けベルトの使用中に、出没突起６７が軸方向へ移動する心配はなくなる。
【００４９】
上記例では、出没突起６７をベルト掛けと、小物掛けに兼用したが、兼用しないで、小物掛けだけに供することもできる。
例えば、大型のバッグであるスーツケースの適所に、脚（固定脚、脚機構を問わない。）とは別に、出没突起６７を１個又は複数個設ける。そして、この出没突起６７に小物５２と掛けるようにすれば、便利である。その上、小物掛け専用であれば、ベルト掛けよりは耐荷重性能が小さくなるため、出没突起６７の径を小さくすることができるという利点がある。
【産業上の利用可能性】
【００５０】
本発明は、脚を備えるスーツケースに好適である。
【符号の説明】
【００５１】
１０、６０…バッグ（符号１０はスーツケース等の大型のバッグ、符号６０はアタッシュケース等の小型のバッグ）、１１ａ、１３ａ、６１ａ…側面、２１、２１Ｂ…脚機構、４０、４０Ｂ、６７…出没突起、４１…座（長円座）、４７…座（円板座）、５２…小物、６４…ベルト用突起機構。
【図１】
2019180527.tif 000003
【図２】
2019180527.tif 000004
【図３】
2019180527.tif 000005
【図４】
2019180527.tif 000006
【図５】
2019180527.tif 000007
【図６】
2019180527.tif 000008
【図７】
2019180527.tif 000009
【図８】
2019180527.tif 000010
【図９】
2019180527.tif 000011
【図１０】
2019180527.tif 000012
【図１１】
2019180527.tif 000013
【図１２】
2019180527.tif 000014
【図１３】
2019180527.tif 000015
【図１４】
2019180527.tif 000016
【手続補正書】
【提出日】令和1年6月4日(2019.6.4)
【手続補正１】
【補正対象書類名】特許請求の範囲
【補正対象項目名】請求項１
【補正方法】変更
【補正の内容】
【請求項１】
使用時はバッグの側面から突出させ、非使用時は前記バッグに埋没させる、出没突起を備えているバッグであって、
このバッグは、脚機構を有し、この脚機構は、前記バッグの前記側面に設けた凹部に嵌められるフランジを有する脚ベースと、この脚ベースに出没可能に収納される前記出没突起とからなり、この出没突起に床や路面に当てる座を有し、
前記非使用時には、前記座の外面と、前記フランジの外面とが、前記バッグの前記側面とほぼ同一面となっていることを特徴とするバッグ。
【手続補正２】
【補正対象書類名】明細書
【補正対象項目名】００１２
【補正方法】変更
【補正の内容】
【００１２】
請求項１に係る発明は、使用時はバッグの側面から突出させ、非使用時は前記バッグに埋没させる、出没突起を備えているバッグであって、
このバッグは、脚機構を有し、この脚機構は、前記バッグの前記側面に設けた凹部に嵌められるフランジを有する脚ベースと、この脚ベースに出没可能に収納される前記出没突起とからなり、この出没突起に床や路面に当てる座を有し、
前記非使用時には、前記座の外面と、前記フランジの外面とが、前記バッグの前記側面とほぼ同一面となっていることを特徴とする。
【手続補正３】
【補正対象書類名】明細書
【補正対象項目名】００１６
【補正方法】変更
【補正の内容】
【００１６】
請求項１に係る発明では、バッグは、脚機構を有し、この脚機構に出没突起を有し、この出没突起に床や路面に当てる座を有している。
大型のバッグでは、床置きに備えた固定脚が不可欠である。この固定脚を脚機構に変更し、この脚機構に出没突起を備えた。その上、非使用時には、座の外面と、フランジの外面とが、バッグの側面とほぼ同一面となっているので、外観性が良くなる。
大型のバッグであるスーツケース等において、外観性を高め、内寸法の増大が可能となる。
【手続補正４】
【補正対象書類名】明細書
【補正対象項目名】００５１
【補正方法】変更
【補正の内容】
【００５１】
１０、６０…バッグ（符号１０はスーツケース等の大型のバッグ、符号６０はアタッシュケース等の小型のバッグ）、１１ａ、１３ａ、６１ａ…側面、２１、２１Ｂ…脚機構、２２…凹部、２３…フランジ、２４、２４Ｂ…脚ベース、４０、４０Ｂ、６７…出没突起、４１…座（長円座）、４７…座（円板座）、５２…小物、６４…ベルト用突起機構。